(57)【要約】【課題】  画像形成装置に登録したＵＲＬのコンテンツ印刷、登録したＵＲＬの一覧印刷を画像形成装置からの選択操作で印刷することができる印刷システム、画像形成装置、印刷システムの制御方法を提供する。【解決手段】      プリンタ２００は、印刷ホスト１００からの設定操作によって、印刷するコンテンツのＵＲＬをプリンタ２００の操作パネル２１５にて識別可能な登録番号、タイトル名を付与して登録して管理し、登録したＵＲＬをプリンタの操作パネル２１５においては、タイトル名と登録番号にて識別選択された印刷指示操作を検出すると、選択された登録番号に対応するＵＲＬにて特定されるＷＥＢサーバ３００からコンテンツ３０１を取得して印刷する。また、登録した各ＵＲＬの内容を操作パネル２１５からの操作にて印刷出力する。【選択図】  図１
2006256125.tif 000002
【特許請求の範囲】
【請求項１】
ホスト装置と、ＵＲＬ（Ｕｎｉｆｏｒｍ Ｒｅｓｏｕｒｃｅ Ｌｏｃａｔｏｒ）にもとづいてリソースデータを取得して印刷する画像形成装置とをネットワークを介して接続した印刷システムにおいて、
前記印刷ホストは、
前記画像形成装置に対して前記ＵＲＬを一意に識別する識別情報を付与したＵＲＬの登録、変更、削除を指示するＵＲＬ登録指示手段
を具備し、
前記画像形成装置は、
前記ＵＲＬ登録指示手段による指示にもとづいて前記ＵＲＬを前記識別情報に対応して記憶管理する管理手段と、
前記管理手段により管理されるＵＲＬの中の所望のＵＲＬを前記識別情報を用いて選択する選択手段と、
前記選択手段により選択された識別情報に対応するＵＲＬにもとづいて前記リソースデータを取得して印刷するコンテンツ印刷手段と
を具備することを特徴とする印刷システム。
【請求項２】
前記ＵＲＬ登録指示手段は、
前記ＵＲＬにもとづいて取得するリソースデータの印刷に用いる印刷設定情報を付与したＵＲＬを指示し、
前記管理手段は、
前記ＵＲＬに対応して前記印刷設定情報を記憶管理し、
前記コンテンツ印刷手段は、
前記ＵＲＬにもとづいて取得したリソースデータを前記管理手段で管理される前記印刷設定情報にもとづき印刷する
ことを特徴とする請求項１記載の印刷システム。
【請求項３】
前記画像形成装置は、
前記管理手段により管理される管理情報を一覧印刷する印刷手段
をさらに具備する
ことを特徴とする請求項１または２記載の印刷システム。
【請求項４】
前記ＵＲＬ登録指示手段は、
前記コンテンツ印刷手段による印刷の認証を行うための認証情報を付与したＵＲＬを指示し、
前記管理手段は、
前記ＵＲＬに対応して前記認証情報を記憶管理し、
前記コンテンツ印刷手段は、
前記ＵＲＬにもとづいて取得したリソースデータの印刷を前記管理手段で管理される前記認証情報にもとづき認証を行って許可する
ことを特徴とする請求項１記載の印刷システム。
【請求項５】
ネットワークに接続され、ＵＲＬにもとづいてリソースデータを取得して印刷する画像形成装置において、
前記ＵＲＬを一意に識別する識別情報を付与したＵＲＬの登録、変更、削除の指示を印刷ホストから前記ネットワークを経由して受け付けるＵＲＬ登録受付手段と、
前記ＵＲＬ登録受付指示手段により受け付けた指示にもとづいて前記ＵＲＬを前記識別情報に対応して記憶管理する管理手段と、
前記管理手段により管理されるＵＲＬの中の所望のＵＲＬを前記識別情報を用いて選択する選択手段と、
前記選択手段により選択された識別情報に対応するＵＲＬにもとづいて前記リソースデータを取得して印刷するコンテンツ印刷手段と
を具備することを特徴とする画像形成装置。
【請求項６】
ホスト装置と、ＵＲＬにもとづいてリソースデータを取得して印刷する画像形成装置とをネットワークを介して接続した印刷システムの制御方法において、
前記印刷ホストは、前記画像形成装置に対して前記ＵＲＬを一意に識別する識別情報を付与したＵＲＬの登録、変更、削除をＵＲＬ登録指示手段により指示し、
前記画像形成装置は、前記ＵＲＬ登録指示手段による指示にもとづいて前記ＵＲＬを管理手段により前記識別情報に対応して記憶管理し、
前記管理手段により管理されるＵＲＬの中の所望のＵＲＬを選択手段により前記識別情報を用いて選択し、
前記選択手段により選択された識別情報に対応するＵＲＬにもとづいて前記リソースデータをコンテンツ印刷手段により取得して印刷する
ことを特徴とする印刷システムの制御方法。
【発明の詳細な説明】
【技術分野】
【０００１】
本発明は、インターネット上のリソースデータを所定の通信プロトコルと、アクセス情報にもとづいて取り出して印刷する印刷システム、画像形成装置、印刷システムの制御方法に関し、特に、画像形成装置にコンテンツへのアクセス情報を登録し、登録したコンテンツへのアクセス情報の登録内容、登録したアクセス情報にて特定されるリソースデータの内容を、プリンタに設けられた操作表示手段からの操作で印刷する技術に関する。
【背景技術】
【０００２】
インターネット上のリソースデータを取り出して印刷する画像形成装置に関する技術として、特許文献１記載の「プリンタ」がある。
【０００３】
特許文献１の発明は、インターネット上のリソースデータを直接取得して印刷することにより、印刷情報の取り出しから印刷出力までの作業を簡略化して作業効率を向上させることを目的としている。
【特許文献１】特開２００４−７４８１０号公報。
【発明の開示】
【発明が解決しようとする課題】
【０００４】
上記特許文献１で開示された技術を用いてコンテンツの印刷を行うためには、プリンタに対してアクセス情報を印刷の度に通知する印刷ホストが接続された構成が必須であった。
【０００５】
これに対し、長い文字列にて表現されるＵＲＬを入力したり、表示したりするための高度なユーザインターフェースを画像形成装置に設けて印刷ホストの接続なしでコンテンツを印刷する方法が考えられるが、画像形成装置の製造コストを抑えなければならない問題があり、実現が困難であるといった問題がある。
【０００６】
よって、本発明は、コンテンツへのアクセス情報を、画像形成装置の操作表示手段にて表示選択可能な情報を付与して登録して管理するための手段を印刷ホスト、画像形成装置に設け、画像形成装置からの操作で、登録したコンテンツの印刷あるいは登録内容の印刷を行するとともに、登録したアクセス情報単位で操作認証を設定することができる印刷システム、画像形成装置、印刷システムの制御方法の提供を目的とする。
【課題を解決するための手段】
【０００７】
上記目的を達成するために、請求項１の発明は、ホスト装置と、ＵＲＬにもとづいてリソースデータを取得して印刷する画像形成装置とをネットワークを介して接続した印刷システムにおいて、印刷ホストは、画像形成装置に対してＵＲＬを一意に識別する識別情報を付与したＵＲＬの登録、変更、削除を指示するＵＲＬ登録指示手段を具備し、画像形成装置は、ＵＲＬ登録指示手段による指示にもとづいてＵＲＬを識別情報に対応して記憶管理する管理手段と、管理手段により管理されるＵＲＬのうち所望のＵＲＬを、識別情報を用いて選択する選択手段と、選択手段により選択された識別情報に対応するＵＲＬにもとづいてリソースデータを取得して印刷するコンテンツ印刷手段とを具備することを特徴とする。
【０００８】
また、請求項２の発明は、請求項１の発明において、ＵＲＬ登録指示手段は、ＵＲＬにもとづいて取得するリソースデータの印刷に用いる印刷設定情報を付与したＵＲＬを指示し、管理手段は、ＵＲＬに対応して印刷設定情報を記憶管理し、コンテンツ印刷手段は、ＵＲＬにもとづいて取得したリソースデータを管理手段で管理される印刷設定情報にもとづき印刷することを特徴とする請求項１記載の印刷システム。
【０００９】
また、請求項３の発明は、請求項１または請求項２の発明において、画像形成装置は、管理手段により管理される管理情報を一覧印刷する印刷手段をさらに具備することを特徴とする。
【００１０】
また、請求項４の発明は、請求項１の発明において、ＵＲＬ登録指示手段は、コンテンツ印刷手段による印刷の認証を行うための認証情報を付与したＵＲＬを指示し、管理手段は、ＵＲＬに対応して認証情報を記憶管理し、コンテンツ印刷手段は、ＵＲＬにもとづいて取得したリソースデータの印刷を管理手段で管理される認証情報にもとづき認証を行って許可することを特徴とする。
【００１１】
また、請求項５の発明は、ネットワークに接続され、ＵＲＬにもとづいてリソースデータを取得して印刷する画像形成装置において、ＵＲＬを一意に識別する識別情報を付与したＵＲＬの登録、変更、削除の指示を印刷ホストからネットワークを経由して受け付けるＵＲＬ登録受付手段と、ＵＲＬ登録受付指示手段により受け付けた指示にもとづいてＵＲＬを識別情報に対応して記憶管理する管理手段と、管理手段により管理されるＵＲＬの中の所望のＵＲＬを、識別情報を用いて選択する選択手段と、選択手段により選択された識別情報に対応するＵＲＬにもとづいてリソースデータを取得して印刷するコンテンツ印刷手段とを具備することを特徴とする。
【００１２】
また、請求項６の発明は、ホスト装置と、ＵＲＬにもとづいてリソースデータを取得して印刷する画像形成装置とをネットワークを介して接続した印刷システムの制御方法において、印刷ホストは、画像形成装置に対してＵＲＬを一意に識別する識別情報を付与したＵＲＬの登録、変更、削除をＵＲＬ登録指示手段により指示し、画像形成装置は、ＵＲＬ登録指示手段による指示にもとづいてＵＲＬを管理手段により識別情報に対応して記憶管理し、管理手段により管理されるＵＲＬの中から所望のＵＲＬを選択手段により識別情報を用いて選択し、選択手段により選択された識別情報に対応するＵＲＬにもとづいてリソースデータをコンテンツ印刷手段により取得して印刷することを特徴とする。
【発明の効果】
【００１３】
本発明によれば、ＵＲＬを取り扱うコンテンツ印刷を、高度なユーザインターフェースを持たない画像形成装置の操作パネルからでも操作することができ、また、登録内容の詳細は、用紙に印刷して確認することができるので、印刷する頻度が高いコンテンツ印刷を画像形成装置から操作する環境を利用者に提供することができる。
【００１４】
また、コンテンツ印刷機能の各操作に対してパスワードによる認証機能を設定することができるので、コンテンツ印刷に対する内部利用に対して情報セキュリティ対策を講じることができる。
【発明を実施するための最良の形態】
【００１５】
以下、本発明の印刷システム、画像形成装置、印刷システムの制御方法について図面を参照しながら説明する。
【実施例１】
【００１６】
図１は、本発明の印刷システムの構成例を示すブロック図である。
【００１７】
図１において、プリンタ２００は、印刷ホスト１００から指定されたＵＲＬ（Ｕｎｉｆｏｒｍ Ｒｅｓｏｕｒｃｅ Ｌｏｃａｔｏｒ）にもとづいてＬＡＮ（Ｌｏｃａｌ Ａｒｅａ Ｎｅｔｗｏｒｋ）４００あるいはインターネット７００上に構築されたＷＥＢサーバ３００がＰＤＦ（Ｐｏｒｔａｂｌｅ Ｄｏｃｕｍｅｎｔ Ｆｏｒｍａｔ）、ＧＩＦ（Ｇｒａｐｈｉｃｓ Ｉｎｔｅｒｃｈａｎｇｅ Ｆｏｒｍａｔ）、ＨＴＭＬ（Ｈｙｐｅｒ  Ｔｅｘｔ Ｍａｒｋｕｐ Ｌａｎｇｕａｇｅ）等のデータ形式にて管理するコンテンツデータをＵＲＬにて指定されたプロトコル（例えば、ＨＴＴＰ（Ｈｙｐｅｒ  Ｔｅｘｔ Ｔｒａｎｓｆｅｒ Ｐｒｏｔｏｃｏｌ ）等）によるデータ通信制御にてＷＥＢサーバ３００から取得して印刷処理を行うコンテンツ印刷機能を有する。
【００１８】
さらに、プリンタ２００は、印刷ホスト１００からの指示によって、登録番号、タイトル、パスワードをＵＲＬに付与して記憶管理する機能、登録したＵＲＬを操作パネル２１５から登録番号にてユーザ選択させてコンテンツデータを印刷する機能、ユーザ選択された登録番号のＵＲＬにパスワードが設定されている場合にはパスワードによる操作認証を行うパスワードチェック機能、登録した各ＵＲＬの内容を、操作パネル２１５を使用したユーザ操作によって一覧印刷する機能を有する。
【００１９】
図２は、印刷ホスト１００の制御構成を示したブロック図である。
【００２０】
印刷ホスト１００は、アクセス情報入力・選択部１０１、ＵＲＬ設定指示情報配信先入力・選択部１０２、ＵＲＬ設定指示情報生成部１０３、配信先リスト管理部１０４、ブラウザ１０８、ネットワーク制御部１０５、ＵＲＬ設定指示情報配信部１１１を有する。
【００２１】
アクセス情報入力・選択部１０１は、ＵＲＬのキー入力、ブラウザ１０８が作成したブックマーク１０９からＵＲＬを選択して入力するためのユーザインターフェース画面を印刷ホスト１００の図示しない表示用モニタに表示する制御を行う。
【００２２】
ブラウザ１０８は、ユーザがブラウザで一度アクセスしたコンテンツのＵＲＬを記録したファイルを生成し、再利用を容易にするブックマーク１０９の生成を行う。
【００２３】
配信先リスト管理部１０４は、ＵＲＬの登録機能、登録したＵＲＬにてコンテンツデータを取得して印刷する機能を有する通信可能なプリンタ２００を、ネットワーク制御部１０５を制御して検索し、プリンタ２００のコンピュータ名を含むネットワークアクセス情報、印刷設定情報を検索結果として配信先リスト１０６に記録する。
【００２４】
ＵＲＬ設定指示情報生成部１０３は、アクセス情報入力・選択部１０１にて入力されたＵＲＬと、ＵＲＬ設定指示情報配信先入力・選択部１０２にて指定されたプリンタ２００の印刷出力設定にもとづいて、プリンタ２００に対してＵＲＬの登録を指示するＵＲＬ設定指示情報１０７を生成する。
【００２５】
ＵＲＬ設定指示情報配信部１１１は、ＵＲＬ設定指示情報生成部１０３で作成されたＵＲＬ設定指示情報１０７を、ＵＲＬ設定指示情報配信先入力・選択部１０２にて指定されたプリンタ２００宛てに送信するためのデータ通信制御をネットワーク制御部１０５に指示する。
【００２６】
図３は、図１に示したプリンタ２００の制御構成を示すブロック図である。
【００２７】
プリンタ２００は、ネットワーク制御部２０１と、コンテンツ管理部２０３、印刷制御部２０５、インターネット制御部２０６、メニュー制御部２１０、パネルインタフェース２１２、エンジン制御部２１３、エンジン部２１４、操作パネル２１５を有する。
【００２８】
ネットワーク制御部２０１は、受信したデータの宛先が印刷制御部２０５、インターネット制御部２０６のいずれであるかを判断してデータの振り分け処理を行う。
【００２９】
印刷制御部２０５は、ネットワーク制御部２０１を介して受信した印刷要求、あるいは、メニュー制御部２１０から通知される操作パネル２１５での印刷要求操作にもとづく印刷イメージを作成してフレームバッファ２１１に出力するとともに、用紙への画像形成処理をエンジン制御部２１３に対して指示する。
【００３０】
ここで、印刷する文書がＵＲＬで指定されるコンテンツデータの場合、印刷制御部２０５は、インターネット制御部２０６にＵＲＬを通知して、コンテンツデータの取得を指示し、コンテンツデータ蓄積部２０７に出力されたコンテンツデータを印刷イメージに展開してフレームバッファ２１１に出力する。
【００３１】
また、印刷制御部２０５は、コンテンツ登録情報４０の一覧印刷がメニュー制御部２１０から指示された場合、コンテンツ登録情報蓄積部２０４にて記憶管理されるコンテンツ登録情報４０の内容を、例えば図１３に示したフォーマットの印刷イメージに展開してフレームバッファ２１１に出力する。
【００３２】
また、印刷制御部２０５は、印刷ホスト１００からコンテンツ登録情報４０の設定、変更、削除の指示データを受信すると、指示データにもとづくコンテンツ登録情報蓄積部２０４のメンテナンス制御をコンテンツ管理部２０３に指示する。
【００３３】
コンテンツ管理部２０３は、登録番号、タイトル名、ＵＲＬ、パスワード情報を含むコンテンツ登録情報４０をコンテンツ登録情報蓄積部２０４に登録して管理し、登録した内容の読み出し、更新、削除を行う。
【００３４】
インターネット制御部２０６は、印刷制御部２０５から通知されるＵＲＬのコンテンツ３０１をネットワーク制御部２０１の制御によって接続されたＷＥＢサーバ３００から取得し、取得した３０１のデータをコンテンツデータ蓄積部２０７に出力する。
【００３５】
プリントエンジン２１４は、エンジン制御部２１３の制御によって、フレームバッファ２１１に出力された印刷イメージを用紙に描画する画像形成処理を行う。
【００３６】
メニュー制御部２１０は、パネルインタフェース２１２を介して接続された操作パネル２１５における各種操作画面の表示制御を行うとともに、コンテンツ印刷に関するユーザ操作を検出した場合は、ユーザが選択したコンテンツ登録情報４０の登録番号を印刷制御部２０５に通知する。
【００３７】
図４は、図３のコンテンツ登録情報蓄積部２０４に記憶されるコンテンツ登録情報４０のデータ構造の例を示す図である。
【００３８】
コンテンツ登録情報４０は、基本情報４１として、ＵＲＬ、登録番号、タイトル名、パスワード情報を有し、拡張情報４２として、印刷出力に関する設定情報を有する。
【００３９】
登録番号は、プリンタ２００に登録されたＵＲＬを一意に特定する識別子であり、コンテンツ管理部２０３にて採番して割り当てが行われる。
【００４０】
タイトル名は、操作パネル２１５上で表示可能なサイズで、かつ、登録したＵＲＬの概要を示す情報であって、印刷ホスト１００における設定操作にてユーザ設定が行われる情報である。
【００４１】
印刷設定情報は、ＵＲＬにて特定されるコンテンツを印刷する際の出力用紙サイズ、Ｎアップ等の印刷出力設定に関する情報である。
【００４２】
図５は、印刷ホスト１００がプリンタ２００に対してコンテンツ登録情報４０の登録、変更、削除を指示するＵＩ（Ｕｓｅｒ Ｉｎｔｅｒｆａｃｅ）を表示する画面の例を示す図である。
【００４３】
コンテンツ印刷設定画面５０は、プリンタ選択指定部５１、コンテンツ印刷設定領域５２、印刷出力設定入力部５３で構成される。
【００４４】
プリンタ選択指定部５１は、コンテンツの印刷機能を有するプリンタ２００が印刷ホスト１００に接続するＬＡＮ４００上に複数存在する場合に、設定対象となるプリンタ２００をユーザが選択する入力領域である。
【００４５】
プリンタ選択指定部５１で所望のプリンタ２００が選択されると、選択されたプリンタ２００に登録されたコンテンツ登録情報４０の内容がコンテンツ印刷設定領域５２に表示される。
【００４６】
プリンタ検索ボタン５１１が押下されると、コンテンツ印刷に対応した使用可能なプリンタ一覧画面５９をサブ画面として表示する。
【００４７】
印刷出力設定入力領域５３は、プリンタ選択指定部５１で選択されたプリンタに対してコンテンツの印刷出力設定をユーザ選択させるための入力領域である。
【００４８】
設定ボタン５４は、設定画面５０に表示された内容にてコンテンツ登録情報４０を生成してプリンタに送信するための操作ボタンである。
【００４９】
削除ボタン５５は、コンテンツ印刷設定領域５２にて選択表示された登録番号に対応するＵＲＬの登録データを削除する指示データをプリンタに送信するための操作ボタンである。
【００５０】
コンテンツ印刷設定領域５２において、ブックマーク呼び出しボタン５２３が押下されると、ブラウザ１０８が作成したブックマーク１０９を表示する一覧画面５７がサブ画面として表示される。
【００５１】
また、登録コンテンツ一覧表示ボタン５２１が押下されると、選択されたプリンタに現在登録されているコンテンツ登録情報４０を取得し、変更、削除を行うＵＲＬの登録番号および内容を確認して選択するための登録コンテンツ一覧表示画面５８をサブ画面として表示する。
【００５２】
新規追加登録ボタン５２２は、選択したプリンタに対して、コンテンツ印刷設定領域５２にて入力したＵＲＬ、印刷出力設定入力領域５３にて入力した内容を新規に追加して登録するための操作ボタンである。
【００５３】
図６は、コンテンツ登録情報４０のメンテナンス処理の動作例を示すフローチャートである。
【００５４】
印刷ホスト１００は、コンテンツ設定登録画面５０を印刷ホスト１００の表示制御を行う（Ｓ１０１）。
【００５５】
コンテンツ設定登録画面５０にてブックマーク呼び出しボタン５２３の押下操作を検出すると（Ｓ１０２ＹＥＳ）、印刷ホスト１００は、ブラウザ１０８のブックマーク１０９を読み出して、登録されているブックマーク表示画面５７の表示制御を行う（Ｓ１０３）。
【００５６】
ブックマーク１０９の選択操作があった場合は（Ｓ１０４ＹＥＳ）、選択されたブックマークファイルのＵＲＬをコンテンツ設定登録画面５０に表示する（Ｓ１０５）。
【００５７】
登録番号が選択された場合（Ｓ１０６ＹＥＳ）、印刷ホスト１００は、登録番号に対応するコンテンツ登録情報４０の登録内容をＵＲＬ設定登録画面５０に出力する（Ｓ１０７）。
【００５８】
削除ボタン５５の押下を検出した場合（Ｓ１０８ＹＥＳ）、ＵＲＬ設定登録画面５０に呼び出し表示された登録番号に対応するＵＲＬの情報を削除する指示情報を作成してプリンタ２００に送信する（Ｓ１０９）。
【００５９】
プリンタ検索ボタン５１１の押下を検出すると（Ｓ１１０ＹＥＳ）、印刷ホスト１００は、コンテンツ印刷が可能で、かつ、コンテンツのＵＲＬを登録することが可能なプリンタ一覧画面５９をサブ画面として表示し（Ｓ１１１）、プリンタの選択操作を検出すると（Ｓ１１２ＹＥＳ）、選択されたプリンタから取得したコンテンツ登録情報４０の内容を設定登録画面５０に表示する（Ｓ１１３）。
【００６０】
設定ボタン５４の押下を検出した場合（Ｓ１１４ＹＥＳ）、印刷ホスト１００は、コンテンツ設定登録画面５０の各入力領域における入力チェックを行い（Ｓ１１５）、チェック結果がエラーの場合は（Ｓ１１５ＮＯ）チェックエラー処理を行い（Ｓ１１７）、チェック結果に問題が無い場合は（Ｓ１１５ＹＥＳ）入力された内容にもとづいてコンテンツ設定指示情報を作成してプリンタ１００宛に送信する（Ｓ１１６）、閉じるボタン５６が押下された場合（Ｓ１１９ＹＥＳ）、登録処理を終了する。
【００６１】
なお、設定画面で入力されたＵＲＬのコンテンツにコンテンツプロテクトがかけられていて印刷ができない場合、入力チェックにて警告するようにしてもよい。
【００６２】
図７は、プリンタ２００が、印刷ホスト１００から４０を更新する指示情報をデータ受信した時の動作を示すフローチャートである。
【００６３】
プリンタ２００は、指示情報を受信すると、コンテンツ登録情報４０のメンテナンスの種類（新規登録、登録内容の変更、登録内容の削除）を判断する（Ｓ２０１）。
【００６４】
新規登録指示の場合は（Ｓ２０２登録）、新規に登録番号を取得し、指示情報にて指定された登録名、ＵＲＬ、パスワード情報、印刷設定の基本情報、拡張情報を、あらたな登録番号を付与してコンテンツ登録情報蓄積部２０４に登録する（Ｓ２０３）。
【００６５】
設定内容の変更指示の場合（Ｓ２０２更新）、更新対象となる登録番号のコンテンツ登録情報４０をコンテンツ登録情報蓄積部２０４にて特定し、受信した指示情報の内容にもとづいて書き換えを行う（Ｓ２０５）。
【００６６】
登録データの削除指示の場合（Ｓ２０２削除）、登録番号に対応する登録データを、コンテンツ登録情報蓄積部２０４から削除する（Ｓ２０４）。
【００６７】
プリンタ２００は、処理区分に対応したコンテンツ登録情報４０のメンテナンス処理結果を通知する応答データを作成して印刷ホスト１００に送信する（Ｓ２０６）。
【００６８】
図８（Ａ）は、プリンタ２００に設けられた操作パネ２１５の外観構成の例を示し、図８（Ｂ）の表は、各ボタンに設定された機能を示した表である。
【００６９】
操作パネル２１５は、メニューボタン８０１、方向キー（上）８０３、方向キー（左）８０４、方向キー（下）８０５、方向キー（右）８０６と、選択ボタン８０２、表示部８０７、テンキー８０８がある。
【００７０】
メニューボタン８０１は、プリンタ２００のメインメニューを操作パネル２１５の表示部８０７に呼び出して表示するためのボタンである。
【００７１】
方向キー（上）８０３、方向キー（左）８０４、方向キー（下）８０５、方向キー（右）８０６は、操作パネル２１５の表示部８０７に表示されるメニューの同一階層における選択操作、上位、下位階層への移動を行うための上下左右方向への各方向に設けられたボタンである
また、図８に示したテンキー８０８を含む各ボタンは、パスワード入力用として所定のコードの割り当てが行われ、パスワード入力用の入力ボタンとして使用される。
【００７２】
図９は、操作パネル２１５の表示部８０７に表示されるコンテンツ印刷に関するメニュー構成例を示す図である。
【００７３】
プリンタ２００の操作パネル２１５に表示されるメニューは、階層構造を有し、第１階層に設定されたプリンタ２００が提供する各種機能メインメニューのひとつとして、コンテンツ印刷処理のメインメニューとなる「コンテンツ」（１０Ａ）が設けられる。
【００７４】
プリンタ２００が提供するコンテンツ印刷機能のルートメニューとしての「コンテンツ」が選択されると、「トウロク  ナイヨウ  インサツ」（１０Ｂ−１）「コンテンツ  インサツ」（１０Ｂ−２）のいずれかを選択させる下位の第２階層に遷移する。
【００７５】
「トウロク  ナイヨウ  インサツ」（１０Ｂ−１）がボタン選択されると、第３階層の「インサツ」（１０Ｃ−１）メニューを表示する。
【００７６】
一方、第２階層で「コンテンツ  インサツ」（１０Ｂ−２）が選択されると、さらに下位の第３階層としてコンテンツ番号を選択させる「コンテンツ  ＮＯ．１」・・・「コンテンツ  ＮＯｘ」（１０Ｃ−２）に遷移する。
【００７７】
第３階層に遷移した際にユーザ選択が可能な「インサツ」（１０Ｃ−１）、あるいは、「コンテンツ  ＮＯ．ｘ」（１０Ｃ−２）のメニューに対してパスワードが設定されている場合は、その下位に相当する第４階層としてのパスワード（１０Ｄ）の入力画面に遷移する。
【００７８】
パスワードが設定されていないメニューの場合は、選択されたコンテンツ番号の印刷処理、あるいは、「トウロク  ナイヨウ  インサツ」の印刷処理が行われる。
【００７９】
図１０は、操作パネル２１５の操作によるコンテンツ印刷処理の動作例を示すフローチャートである。
【００８０】
プリンタ２００は、操作メニューにて「コンテンツ」が選択されると、第２階層の「トウロク  ナイヨウ  インサツ」、「コンテンツ  インサツ」のいずれかをユーザ選択させる画面を、操作パネル２１５の表示部８０７に出力し、
「トウロク  ナイヨウ  インサツ」が選択されると（Ｓ３０１ＹＥＳ）、プリンタは、コンテンツ登録情報４０を読み出し、登録番号毎の登録名、ＵＲＬ、印刷設定、パスワード設定を図１３に示した所定のフォーマットにもとづいて印刷する登録内容の一覧印刷処理を行う（Ｓ３０２）。
【００８１】
「コンテンツ  インサツ」が、選択されると（Ｓ３０３ＹＥＳ）、第３階層として、１０（Ｃ）に示すようなコンテンツの登録番号を選択するメニューを操作パネル２１５に表示するコンテンツ印刷処理を行う（Ｓ３０４）。
【００８２】
第２階層において、第１階層への戻りを指示する方向キー（左）が押下されると（Ｓ３０５ＹＥＳ）、第１階層のルートメニュー表示に戻る。
【００８３】
図１１は、図１０のステップＳ３０４に示したコンテンツ印刷処理の動作例を示すフローチャートである。
【００８４】
コンテンツ番号選択メニューにおいて、ユーザが登録番号を選択すると（Ｓ４０１ＹＥＳ）、選択された、コンテンツ番号にパスワードが設定されているかを判断する（Ｓ４０２）。
【００８５】
パスワードが設定されている場合（Ｓ４０２ＹＥＳ）、パスワード入力画面を出力し（Ｓ４０３）、入力されたパスワードのチェックを行う（Ｓ４０４）。
【００８６】
選択されたコンテンツ番号にパスワードの設定が無い場合（Ｓ４０２ＮＯ）、あるいは、パスワードチェックによって選択操作が許可された場合（Ｓ４０４ＹＥＳ）、登録番号に対応するＵＲＬを、ＵＲＬ設定登録情報から取得し（Ｓ４０６）、取得したＵＲＬのコンテンツを印刷する（Ｓ４０７）。
【００８７】
パスワード入力設定があり（Ｓ４０２ＹＥＳ）、パスワードチェックでエラーとなった場合（Ｓ４０４ＮＯ）、エラー画面を表示して、コンテンツ番号の選択メニューに戻る（Ｓ４０５）。
【００８８】
方向キー（左）８０４の押下処理によって第２階層への移動が選択された場合（Ｓ４０８ＹＥＳ）、「コンテンツ  インサツ」、「トウロク  ナイヨウ  インサツ」の選択メニューに遷移する。
【００８９】
図１２は、図１０のフローチャートのステップＳ３０２に示したコンテンツ登録情報４０登録内容の一覧印刷処理の動作例を示すフローチャートである。
【００９０】
プリンタ３００は、「トウロク  ナイヨウ  インサツ」のメニューにて第３階層のメニューで「インサツ」が選択された場合（Ｓ５０１ＹＥＳ）、メニューにパスワードが設定されているか否かを判断し（Ｓ５０２）、「コンテンツ  イチラン  インサツ」による印刷操作にパスワードが設定されている場合（Ｓ５０２ＹＥＳ）、パスワード入力画面を出力し（Ｓ５０３）、入力されたパスワードのチェックを行う（Ｓ５０４）。
【００９１】
パスワードの入力設定が無い場合（Ｓ５０２ＮＯ）、あるいは、パスワードが正しく入力された場合（Ｓ５０４ＹＥＳ）、ＵＲＬ設定登録情報の印刷処理を行う（Ｓ５０５）。
【００９２】
パスワードチェックでエラーとなった場合（Ｓ５０４ＮＯ）、エラーを表示する（Ｓ５０６）。
【００９３】
方向キー（左）８０４の押下処理によって第２階層への移動が選択されると（Ｓ５０７ＹＥＳ）、「コンテンツ  インサツ」、「トウロク  ナイヨウ  インサツ」の選択メニュー画面に遷移する。
【産業上の利用可能性】
【００９４】
本発明の印刷システム、画像形成装置、印刷システムの制御方法は、ＵＲＬのコンテンツを取得して印刷する画像形成装置を含む印刷システムに利用可能であって、特に、印刷する機会が比較的多いＵＲＬのコンテンツがあり、画像形成装置の操作表示手段にて操作する必要がある場合に有効である。
【００９５】
また、コンテンツ印刷の使用にセキュリティが必要な場合に有効である。
【図面の簡単な説明】
【００９６】
【図１】本発明の印刷システムの構成例を示すブロック図。
【図２】図１に示した印刷ホスト１００の制御構成を示すブロック図。
【図３】図１に示したプリンタ２００の制御構成を示すブロック図。
【図４】コンテンツ登録情報のデータ構造の例を示す図。
【図５】印刷ホストでコンテンツ登録情報の登録、削除を行うＵＩ画面のイメージを示す図。
【図６】印刷ホストによるコンテンツ登録情報の登録、変更、削除の動作例を示すフローチャート。
【図７】プリンタにおけるコンテンツ登録情報の削除処理の動作例を示すフローチャート。
【図８】操作パネルの外観図と、各種ボタンに割り当てらた機能の例を示す表。
【図９】操作パネルに表示される、メニューの階層構造を示す図。
【図１０】コンテンツ印刷処理全体の動作例を示すフローチャート。
【図１１】コンテンツ印刷処理の動作例を示すフローチャート。
【図１２】コンテンツ登録情報４０を一覧印刷する動作例を示すフローチャート。
【図１３】コンテンツ登録情報４０を一覧印刷した時の出力イメージの例を示す図。
【符号の説明】
【００９７】
１００    印刷ホスト
１０１    アクセス情報入力・選択部
１０２    ＵＲＬ設定指示情報配信先入力選択部
１０３    ＵＲＬ設定指示情報生成部
１０４    配信先リスト管理部
１０５    ネットワーク制御部
１０６    配信先リスト  
１０７    ＵＲＬ設定指示情報
１０８    ブラウザ
１０９    ブックマーク
１１１    ＵＲＬ設定指示情報配信部  
８０１    メニューボタン
８０２    選択ボタン
８０３    方向キー（上）
８０４    方向キー（左）
８０５    方向キー（下）
８０６    方向キー（右）
８０７    表示部
８０８    テンキー
４０    コンテンツ登録情報
４１    基本情報
４２    拡張情報
２００    プリンタ
２０１    ネットワーク制御部
２０３    コンテンツ管理部
２０４    コンテンツ設定登録情報蓄積部
２０５    印刷制御部
２０６    インターネット制御部
２０７    コンテンツデータ蓄積部
２１０    メニュー制御部
２１１    フレームバッファ
２１２    パネルインタフェース
２１３    エンジン制御部
２１４    プリントエンジン
２１５    操作パネル
５０    コンテンツ印刷設定画面
５１    プリンタ選択指定部
５１１  プリンタ検索ボタン  
５２    コンテンツ印刷設定領域
５２１    登録コンテンツ一覧表示ボタン
５２２    新規追加登録ボタン
５２３    ブックマーク呼び出しボタン
５３    印刷出力設定入力領域    
５４    設定ボタン
５５    削除ボタン
５６    閉じるボタン
５７    ブックマーク表示画面
５８    登録コンテンツ一覧表示画面
５９    プリンタ一覧画面
３００    ＷＥＢサーバ
３０１    コンテンツ
４００    ＬＡＮ  
７００    インターネット
【図１】
2006256125.tif 000003
【図２】
2006256125.tif 000004
【図３】
2006256125.tif 000005
【図４】
2006256125.tif 000006
【図５】
2006256125.tif 000007
【図６】
2006256125.tif 000008
【図７】
2006256125.tif 000009
【図８】
2006256125.tif 000010
【図９】
2006256125.tif 000011
【図１０】
2006256125.tif 000012
【図１１】
2006256125.tif 000013
【図１２】
2006256125.tif 000014
【図１３】
2006256125.tif 000015